(57)【要約】【課題】商品についての販売者が購買者に訴えたい「メッセージ」を十分伝えることができて、商品入れ替え時の陳列をも簡単に行うことのできる吊下具掛けした商品用の表示装置を、簡単な構成によって提供すること。【解決手段】横梁２０に上方から係合される取付基部１１と、この取付基部１１に上部１２ａにて取り付けられるとともに表示面１２ｂを有した表示板１２とを備え、この表示板１２の下部１２ｃに、各吊下具３０のフック部３１を挿入して吊下するための吊下穴１３を多数形成したこと。【選択図】図３
2011055944.tif 000002
【特許請求の範囲】
【請求項１】
陳列什器が有している横張、または店舗内に配置された横梁に係合されて、吊下具に掛けた商品の多数を陳列するのに使用される表示装置であって、
前記横梁に上方から係合される取付基部と、この取付基部に上部にて取り付けられるとともに表示面を有した表示板とを備え、
この表示板の下部に、前記各吊下具のフック部を挿入して吊下するための吊下穴を多数形成したことを特徴とする吊下具掛けした商品の表示装置。
【請求項２】
前記表示板に、その前記表示面を覆うように取り付けられる補助表示板（１４）を備えたことを特徴とする請求項１に記載の吊下具掛けした商品の表示装置。
【発明の詳細な説明】
【技術分野】
【０００１】
本発明は、ハンガー等の吊下具に掛けた衣服等の商品のための表示装置に関し、特に、この商品の特徴やキャッチフレーズ、製造者名や商標等の表示を簡単に行うことのできる表示装置に関するものである。
【背景技術】
【０００２】
衣服を代表とする商品を陳列販売する際には、「ハンガー」を代表とする吊下具を使用して行うのが一般的である。このハンガー掛けした衣服の展示方法として、例えば、図７の（ａ）に示すようなスリーブアウト方式、あるいは図７の（ｂ）に示すようなフェースアウト方式がある。
【０００３】
図７の（ａ）に示すようなスリーブアウト方式では、図示しない柱部材の多数の係止穴の選択されたものに、係止爪を係合させた陳列用支持具の先端に陳列バーを取り付けて、この陳列バーに衣服を掛けた多数のハンガーを掛けるのであるが、その場合に、衣服のスリーブが購買者側に大きく見えるようにするものである。このようなスリーブアウト方式では、多数のスリーブで衣服の色調や風合いがよく分かるが、販売者側からその衣服に関する購買者への「メッセージ」を十分伝えることのできる陳列方式ではない。
【０００４】
一方、図７の（ｂ）に示すようなフェースアウト方式では、上記陳列バーの途中に別部材の「ハンガー掛け」を取り付け、このハンガー掛けに上記したハンガーを多数掛けるようにした方式であり、衣服の前面を購買者側に見せるようにした方式である。このフェースアウト方式では、衣服前面のデザインを購買者に大きく訴えかけるという利点があるものの、「ハンガー掛け」を取り付けるためには、「角パイプ」を使用しなければならないし、多数の衣服を重ねて掛けなければならず、販売者側からその衣服に関する購買者への「メッセージ」を十分伝えることのできる陳列方式ではない。
【０００５】
そこで、ハンガー一個一個について、販売者側からその衣服に関する購買者へ伝えたい「メッセージ」を記したラベルを付けることが、例えば特許文献１において提案されている。
【先行技術文献】
【特許文献】
【０００６】
【特許文献１】特開２００８−１８１０５２号公報、要約
【発明の概要】
【発明が解決しようとする課題】
【０００７】
上記特許文献１にて提案されている「ハンガー用立体タグ」は、「衣料小売店舗等の販売現場でハンガーに装着し、商品の販売効果を得るハンガー用立体タグを提供する」ことを目的としてなされたもので、図８に示すように、「適宜厚さの紙板を用い、挿通孔を中心に開口し、互いに前後に所要の間隔を存して対応する前縁と後縁に区画される天板部１ａを上端に備え、前記前縁と後縁から二つ折りされて下方に延長形成される前表示面部１ｂと後表示面部１ｃを備え、前記天板部から適宜下方で、かつ、天板部の左側端の左外方と右側端の右外方とに前記前表示面部と後表示面部が夫々所要幅が延出されて、その前表示面部の左中段前表示面部上縁と後表示面部の左中段後表示面部上縁とに左中段天板部１ｄ１が、その前表示面部の右中段前表示面部上縁と後表示面部の右中段後表示面部上縁とに右中段天板部１ｄ２が夫々差し渡し形成されてなる」、非常に複雑なものである。
【０００８】
また、特許文献１にて提案されている「ハンガー用立体タグ」は、その「前表示面部１ｂ」が「ハンガー４」の「フック部４ａ」と平行になっているため、図７の（ａ）に示すようなスリーブアウト方式では、使用しても余り効果が出ないものとなっているだけでなく、大量に衣服を販売する場合には、「商品情報表示３」が小さすぎて余り表示効果が期待できないのではないかと考えられる。
【０００９】
勿論、この特許文献１にて提案されている「ハンガー用立体タグ」は、衣服毎、つまりこれを掛けるハンガー毎に付設されるものであるから、特に、商品入れ替え時において、タッグ付設作業に多くの時間や手間等が掛かることになり、結果として、陳列設備や陳列作業のコストが高くなるだけでなく、最終的には商品コストを上昇させることにもなる。
【００１０】
ところで、ハンガーは「衣服という商品を吊下する道具」、つまり「吊下具」の一種であるが、この吊下具としては、他に次のようなものがある。「Ｓ環（えすかん）」または「Ｓ管」は、文字通り「Ｓ」の字形状をしたもので、上半分は上記ハンガーのフック部と同じであるが、下半分は上記フック部とは上下逆の形状にしたものであり、この下側のフック部には、袋詰めした商品の袋が掛けられるものである。商品の吊下具としては、単に「フック」と呼ばれる他の形状のものが数多く提案されているが、その基本構造は、上部に上記ハンガーのフック部と同様なフック部を有し、下側には商品またはその包装が掛けられるものとなっているものである。
【００１１】
そこで、本発明者等は、吊下具に掛けた商品などの商品の多数を陳列するに当たって、その商品についての販売者が購買者に訴えたい「メッセージ」を十分伝えることができて、商品入れ替え時の陳列をも簡単に行えるようにするにはどうしたらよいか、について種々検討を重ねてきた結果、本発明を完成したのである。
【００１２】
すなわち、本発明の第１に目的とするところは、商品についての販売者が購買者に訴えたい「メッセージ」を十分伝えることができて、商品入れ替え時の陳列をも簡単に行うことのできる吊家具掛けした商品用の表示装置を、簡単な構成によって提供することにある。
【００１３】
また、本発明の第２に目的とするところは、当該表示装置の使用中であっても、「メッセージ」の交換を簡単に行えるようにした吊下具掛けした商品用の表示装置を提供することにある。
【課題を解決するための手段】
【００１４】
以上の課題を解決するために、まず、請求項１に係る発明の採った手段は、後述する最良形態の説明中で使用する符号を付して説明すると、
「陳列什器が有している横梁２０、または店舗内に配置された横梁２０に係合されて、吊下具３０に掛けた商品４０の多数を陳列するのに使用される表示装置１０であって、
横梁２０に上方から係合される取付基部１１と、この取付基部１１に上部１２ａにて取り付けられるとともに表示面１２ｂを有した表示板１２とを備え、
この表示板１２の下部１２ｃに、各吊下具３０のフック部３１を挿入して吊下するための吊下穴１３を多数形成したことを特徴とする吊下具掛けした商品の表示装置１０」
である。
【００１５】
この請求項１に係る表示装置１０は、図１〜図３に示すように、陳列什器が有している横梁２０、または店舗内に設置してある横梁２０に取り付けられる取付基部１１と、この取付基部１１によって吊下状に取り付けられる表示板１２とを備えたものであり、この表示板１２に形成してある多数の吊下穴１３に、商品４０を掛けた吊下具３０のフック部３１を、挿入あるいは係止させるようにしたものである。
【００１６】
横梁２０に上方から係合される取付基部１１は、横梁２０より僅かに短い長さを有するものであるが、横梁２０自体が長いものであるため、この取付基部１１は、図１〜図３に示すように、人目を引くのに十分な長さとなっている。また、この取付基部１１に上部１２ａにて取り付けた表示板１２も、人目を引くのに十分な長さのものとなっているのである。従って、この取付基部１１に上部１２ａにて取り付けらた表示板１２が備えた表示面１２ｂも、人目を引くことができる程度の十分な横方向長さを有していることになるのである。
【００１７】
この表示板１２の下部１２ｃには、図３及び図４に示すように、吊下穴１３が多数形成してあるから、これら各吊下穴１３に、例えば図３に示すように、商品４０を掛けた吊下具３０のフック部３１を挿入することによって、多数の商品４０が当該表示装置１０に吊下されることになるのである。
【００１８】
この吊下具掛けした商品の表示装置１０によれば、図１〜図３に示すように、表示板１２の表示面１２ｂが、多数の商品４０の上にて大きくかつ横方向に長い状態で存在しているから、この表示面１２ｂに、例えば図５に示すように、キャッチフレーズや商標等の表示５０を付すことによって、当該表示装置１０を介して吊下されている多数の商品４０に対する購買者の購買意欲をそそることができることになる。勿論、表示板１２の表示面１２ｂは、当該表示板１２の表裏両面に存在していることは言うまでもない。
【００１９】
また、この表示板１２の表示面１２ｂは、広くて大きいものであるから、当該表示面１２ｂに表示５０を直接書き込むことの他、表示５０を書いたり印刷したりした紙を貼るようにすることも可能になっている。このことは、表示板１２上の表示５０を直ちに変えることができることを意味し、時間限定販売をしたい場合等には非常に便利である。
【００２０】
さらに、この表示装置１０は、図４に示すように、その取付基部１１を横梁２０に上から単に係合させるだけで表示機能を持たせることができるだけでなく、当該表示装置１０の各吊下穴１３に商品４０を掛けた吊下具３０のフック部３１を挿入するだけで、今売りたい商品４０の陳列を行えるのであるから、店舗の改装を短時間内で行うこともできるものとなっている。
【００２１】
従って、この請求項１に係る表示装置１０によれば、販売者が購買者に訴えたい商品４０についての「メッセージ」を十分伝えることができて、商品入れ替え時の陳列をも簡単に行うことができるものとなっているのである。
【００２２】
また、上記課題を解決するために、請求項２に係る発明の採った手段は、上記請求項１に記載の吊下具掛けした商品の表示装置１０について、
「表示板１２に、その表示面１２ｂを覆うように取り付けられる補助表示板１４を備えたこと」
である。
【００２３】
この請求項２に係る表示装置１０では、上述した表示板１２の表示面１２ｂを覆う補助表示板１４を備えているから、この補助表示板１４によって、図６に示すような表示をも行えるのである。
【００２４】
この補助表示板１４は、これに表示５０を付したものを表示板１２の表示面１２ｂ上に取付手段１５によって取り付けるか、あるいはこの補助表示板１４を二重に折り曲げて取付手段１５によって貼り合わせすることによりポップ収納部１４ａを形成して、このポップ収納部１４ａ内に表示５０を付した紙（ポップ）を収納することにより、当該表示５０による表示が行える。
【００２５】
勿論、この補助表示板１４を透明または半透明材料によって形成しておいて、この補助表示板１４と上記表示板１２との間、あるいはポップ収納部１４ａ内に、上記表示５０を書いたまたは印刷した紙（ポップ）を挿入するようにすれば、当該表示装置１０をそのままにして、表示５０の内容を直ちに変えることもできるのである。
【００２６】
従って、この請求項２に係る表示装置１０は、上記請求項１のそれと同様な機能を発揮する他、例えば当該表示装置１０の使用中であっても、「メッセージ」あるいは表示５０の交換を直ちにかつ簡単に行えるものとなっているのである。
【発明の効果】
【００２７】
以上説明した通り、請求項１に係る発明においては、
「陳列什器が有しているか、店舗内に配置された横梁２０に係合されて、吊下具３０に掛けた商品４０の多数を陳列するのに使用される表示装置１０であって、
横梁２０に上方から係合される取付基部１１と、この取付基部１１に上部１２ａにて取り付けられるとともに表示面１２ｂを有した表示板１２とを備え、
この表示板１２の下部１２ｃに、各吊下具３０のフック部３１を挿入して吊下するための吊下穴１３を多数形成したこと」
にその構成上の特徴があり、これにより、商品４０についての販売者が購買者に訴えたい「メッセージ」を十分伝えることができて、商品入れ替え時の陳列をも簡単に行うことのできる吊下具掛けした商品用の表示装置１０を、簡単な構成によって提供することができるのである。
【００２８】
また、請求項２に係る発明においては、上記請求項１の表示装置１０について、
「表示板１２に、その表示面１２ｂを覆うように取り付けられる補助表示板１４を備えたこと」
にその構成上の特徴があり、これにより、上記請求項１の表示装置１０と同様な効果を得ることができ、さらに、当該表示装置１０の使用中であっても、「メッセージ」の交換を簡単に行うことのできる吊下具掛けした商品用の表示装置１０を提供することができるのである。
【図面の簡単な説明】
【００２９】
【図１】本発明の表示装置１０を使用してフック部３１に掛けた商品４０の陳列を行っている様子を示す斜視図である。
【図２】同表示装置１０の他の展示状態を示す斜視図である。
【図３】図２に示した表示装置１０の拡大斜視図である。
【図４】図３の１−１線に沿って見た表示装置１０を示すもので、（ａ）は横梁２０として丸パイプを使用した場合の部分縦断面図、（ｂ）は横梁２０として角パイプを使用した場合の部分縦断面図である。
【図５】請求項１に係る表示装置１０の分解斜視図である。
【図６】請求項２に係る表示装置１０の分解斜視図である。
【図７】吊下具３０を使用した陳列方式を説明するもので、（ａ）はスリーブアウト方式を示す斜視図、（ｂ）はフェースアウト方式を示す斜視図である。
【図８】特許文献１に示された技術を示す斜視図である。
【発明を実施するための形態】
【００３０】
次に、上記のように構成した各請求項に係る発明を、図面に示した実施の形態に係る表示装置１０について説明すると、図１及び図２には、本実施形態に係る表示装置１０を使用して多数の商品４０を陳列した様子が示してある。
【００３１】
図１の展示方法では、例えば当該表示装置１０を使用して吊下した商品４０のカラーバリエーションを示すとともに、表示板１２の表示面１２ｂにインパクトのある表示５０を付したものであり、当該表示装置１０によって吊下した商品４０の前方に折り畳んだ同じ品質の商品４０を多数配置して、少ない店舗面積で大量の商品４０の陳列が行えるようにしたものである。つまり、この図１に例示した展示方法では、表示装置１０でのインパクトのある商品陳列と、その説明あるいは演出が行えるものであるだけでなく、商品４０の吊下具３０による展示や折り畳みされた商品４０の展示が熟練を有していない人でも行えるのである。
【００３２】
図２の展示方法では、売り場の拡張が行えない場合等において、当該表示装置１０を使用して商品４０をテーブル横に配置すれば、他の商品との差別化ができて、当該商品４０のインパクトを向上させるものである。
【００３３】
さて、この表示装置１０は、陳列什器が有している横梁２０、または店舗内に配置された横梁２０に係合されて、吊下具３０に掛けた商品４０の多数を陳列するのに使用されるのであるが、横梁２０としては、図４の（ａ）に示したような「丸パイプ」か、図４の（ｂ）に示したような「角パイプ」がある。しかしながら、本実施形態の表示装置１０を構成している取付基部１１は、図４に示したように、これらの横梁２０が挿入できて、当該横梁２０上に載置できるから、横梁２０が「丸パイプ」であっても「角パイプ」であっても対応できるものであり、結果的に、当該表示装置１０はどのような横梁２０に対しても適用できるのである。
【００３４】
なお、実施形態の取付基部１１は、弾性変形可能な合成樹脂板、より具体的には厚さ３ｍｍの塩化ビニール板によって図４に示したような、縦断面が略矩形の枠形状に形成したもので、この枠の途中には、直径あるいは幅が３０ｍｍである横梁２０の挿入が可能なように、幅２１ｍｍ程度の開口（図示省略）が形成してある。換言すれば、この横梁２０の直径または幅より小さい開口を、材料が塩化ビニールである取付基部１１を弾性変形させながら開いて、そこから横梁２０の挿入を行えば、この取付基部１１は再び図４に示した状態に戻るのである。
【００３５】
さて、この取付基部１１には、表示板１２の上部１２ａが接着剤等を使用して取り付けてあるが、この表示板１２も、塩化ビニールを材料として形成したものであり、その表示面１２ｂにはそのまま表示５０が書けるだけでなく、表示５０を印刷した紙の貼付も行えるものである。
【００３６】
この取付基部１１の下部１２ｃには、図３及び図５にも示したように、多数の吊下穴１３が形成してあるが、これらの吊下穴１３は、当該表示板１２を上記材料によって形成した結果、簡単に形成できるものである。なお、本実施形態における各吊下穴１３間の寸法は、１００ｍｍとした。
【００３７】
この表示板１２に対しては、図６に示したように、補助表示板１４が取り付けてある。この補助表示板１４は、透明な合成樹脂板、具体的には厚さ０．４ｍｍ程度のポリエチレンテレフタレート（所謂ＰＥＴ）製板材を二重に折り曲げて取付手段１５によって貼り合わせすることによりポップ収納部１４ａを形成したもので、このポップ収納部１４ａ内に表示５０を付した紙（ポップ）を収納することにより、当該表示５０による表示を行えるようにしたものである。
【００３８】
なお、この表示板１２に対しては、図示はしていないが、取付手段１５によって補助表示板１４を取り付けて実施してもよい。取付手段１５としては、所謂「両面接着テープ」を使用してもよいが、当該補助表示板１４を剥がして再び使用できるようにするために、表示板１２側とともに所謂「面ファスナー」を使用するとよい。
【００３９】
この表示板１２に対して、取付手段１５によって補助表示板１４を直接貼付した場合、上記塩化ビニールなどからなる合成樹脂板材を材料として形成したものであり、その表面にそのまま表示５０が書けるだけでなく、表示５０を印刷した紙の貼付も行えるようにしたものである。勿論、当該補助表示板１４と、これた取り付けられている表示板１２との間に、表示５０を印刷した紙の挿入を行うことにより、透明または半透明材料からなる補助表示板１４を通しての表示を行うこともできる。
【００４０】
この補助表示板１４は、上記表示板１２に代えて使用することもできる。その場合には、取付手段１５を貫通しても良いが、ポップ収納部１４ａは貫通しないように、当該補助表示板１４の下部に吊下穴１３を多数形成すればよい。
【符号の説明】
【００４１】
１０    表示装置
１１    取付基部
１２    表示板
１２ａ  上部
１２ｂ  表示面
１２ｃ  下部
１３    吊下穴
１４    補助表示板
１５    取付手段
２０    横梁
３０    吊下具
３１    フック部
４０    商品
５０    表示
【図１】
2011055944.tif 000003
【図２】
2011055944.tif 000004
【図３】
2011055944.tif 000005
【図４】
2011055944.tif 000006
【図５】
2011055944.tif 000007
【図６】
2011055944.tif 000008
【図７】
2011055944.tif 000009
【図８】
2011055944.tif 000010